(57)【要約】【課題】ＡＴＭへの入金を安全に行うことができる貨幣処理システムを提供する。【解決手段】貨幣処理システムを、店舗で顧客から受け取った現金の入金及び顧客へ返す釣銭の出金を実行可能な釣銭機と、店舗で顧客が口座への入金及び口座からの出金を実行可能な現金自動預払機と、紙幣の収納及び繰り出し可能な収納カセットとによって構成し、収納カセットを、釣銭機に脱着可能かつ現金自動預払機に脱着可能な構造とする。【選択図】図２
2018151809.tif 000002
【特許請求の範囲】
【請求項１】
店舗で顧客から受け取った現金の入金及び顧客へ返す釣銭の出金を実行可能な釣銭機と、
前記店舗で顧客が口座への入金及び口座からの出金を実行可能な現金自動預払機と、
紙幣の収納及び繰り出し可能な収納カセットと
を備え、
前記収納カセットが、前記釣銭機に脱着可能かつ前記現金自動預払機に脱着可能であることを特徴とする貨幣処理システム。
【請求項２】
前記釣銭機は、前記釣銭機の機内に収納していた紙幣を繰り出して前記収納カセットに収納し、
前記現金自動預払機は、前記釣銭機から取り外して前記現金自動預払機に装着された前記収納カセットから紙幣を繰り出して、前記現金自動預払機の機内に収納すると共に、収納した紙幣の金額を前記店舗の口座に入金する処理を実行する
ことを特徴とする請求項１に記載の貨幣処理システム。
【請求項３】
前記現金自動預払機は、前記収納カセットから繰り出した紙幣を、前記現金自動預払機に脱着可能に設けられた回収カセットに収納することを特徴とする請求項２に記載の貨幣処理システム。
【請求項４】
前記現金自動預払機は、前記現金自動預払機の機内に収納していた紙幣を繰り出して前記収納カセットに収納すると共に、収納した紙幣の金額を前記店舗の口座から出金する処理を実行し、
前記釣銭機は、前記現金自動預払機から取り外して前記釣銭機に装着された前記収納カセットから紙幣を繰り出して、前記釣銭機の機内に収納する
ことを特徴とする請求項１に記載の貨幣処理システム。
【請求項５】
前記釣銭機は、前記収納カセットから繰り出した紙幣を、釣銭として利用する紙幣を収納する収納部に収納することを特徴とする請求項４に記載の貨幣処理システム。
【請求項６】
前記収納カセットは、データを読み書き可能な記憶媒体を有し、
前記釣銭機は、前記記憶媒体のデータを読み書きするリーダライタを有し、
前記現金自動預払機は、前記記憶媒体のデータを読み書きするリーダライタを有し、
前記釣銭機及び前記現金自動預払機は、前記収納カセットに紙幣を収納した際には、収納した紙幣に係るデータを前記記憶媒体に書き込み、前記収納カセットが装着された際には、前記記憶媒体から前記データを読み取る
ことを特徴とする請求項１〜５のいずれか１項に記載の貨幣処理システム。
【請求項７】
店舗の売上金を構成する紙幣を前記収納カセットに収納する処理が前記釣銭機で実行されると、
前記釣銭機は、前記売上金に係るデータを前記記憶媒体に書き込み、
前記釣銭機から取り外した前記収納カセットが装着された前記現金自動預払機は、前記記憶媒体から前記売上金に係るデータを読み取って、前記収納カセットから紙幣を繰り出して機内に収納する処理、及び収納した紙幣の金額を前記店舗の口座に売上金として入金する処理を自動実行する
ことを特徴とする請求項６に記載の貨幣処理システム。
【請求項８】
前記釣銭機に補充する釣銭準備金を構成する紙幣を、前記収納カセットに収納する処理が前記現金自動預払機で実行されると、
前記現金自動預払機は、前記収納カセットに収納された紙幣の金額を前記店舗の口座から出金する処理を実行すると共に、前記釣銭準備金に係るデータを前記記憶媒体に書き込み、
前記現金自動預払機から取り外した前記収納カセットが装着された前記釣銭機は、前記記憶媒体から前記釣銭準備金に係るデータを読み取って、前記収納カセットから紙幣を繰り出して機内に収納する処理を自動実行する
ことを特徴とする請求項６に記載の貨幣処理システム。
【発明の詳細な説明】
【技術分野】
【０００１】
この発明は、現金自動預払機への入金を安全に行うことができる貨幣処理システムに関する。
【背景技術】
【０００２】
従来、コンビニエンスストア等の小売店には、来店した顧客が現金を入出金できるＡＴＭ（現金自動預払機）が設置されている。ＡＴＭは、店舗の店員が、店舗の売上金を入金するために利用することもできる。ＡＴＭを利用して、店舗が有する金融機関の口座に、店舗の売上金を入金すれば、売上金の回収を警送会社に依頼する必要がなく、売上金を持って金融機関の店舗まで行く必要もない。例えば、特許文献１に開示されたシステムでは、店舗のレジカウンターで利用する釣銭機から売上金を取り出し、ＡＴＭを利用して所定口座へ入金することができる。
【先行技術文献】
【特許文献】
【０００３】
【特許文献１】特開２００３−２６３６７９号公報
【発明の概要】
【発明が解決しようとする課題】
【０００４】
しかしながら、上記従来技術では、顧客の利用に供するために設置したＡＴＭに店舗の売上金を入金するため、セキュリティ上の問題がある。具体的には、釣銭機から大量の現金を取り出す作業、取り出した現金を手に持った状態での移動、ＡＴＭで大量の現金を入金する作業等の全てが、顧客も立ち入ることができる場所で、顧客の目の前で行われる可能性がある。
【０００５】
本発明は、上記従来技術による問題点を解消するためになされたもので、ＡＴＭへの入金を安全に行うことができる貨幣処理システムを提供することを目的とする。
【課題を解決するための手段】
【０００６】
上述した課題を解決し、目的を達成するため、本発明は、貨幣処理システムであって、店舗で顧客から受け取った現金の入金及び顧客へ返す釣銭の出金を実行可能な釣銭機と、前記店舗で顧客が口座への入金及び口座からの出金を実行可能な現金自動預払機と、紙幣の収納及び繰り出し可能な収納カセットとを備え、前記収納カセットが、前記釣銭機に脱着可能かつ前記現金自動預払機に脱着可能であることを特徴とする。
【０００７】
また、本発明は、上記発明において、前記釣銭機は、前記釣銭機の機内に収納していた紙幣を繰り出して前記収納カセットに収納し、前記現金自動預払機は、前記釣銭機から取り外して前記現金自動預払機に装着された前記収納カセットから紙幣を繰り出して、前記現金自動預払機の機内に収納すると共に、収納した紙幣の金額を前記店舗の口座に入金する処理を実行することを特徴とする。
【０００８】
また、本発明は、上記発明において、前記現金自動預払機は、前記収納カセットから繰り出した紙幣を、前記現金自動預払機に脱着可能に設けられた回収カセットに収納することを特徴とする。
【０００９】
また、本発明は、上記発明において、前記現金自動預払機は、前記現金自動預払機の機内に収納していた紙幣を繰り出して前記収納カセットに収納すると共に、収納した紙幣の金額を前記店舗の口座から出金する処理を実行し、前記釣銭機は、前記現金自動預払機から取り外して前記釣銭機に装着された前記収納カセットから紙幣を繰り出して、前記釣銭機の機内に収納することを特徴とする。
【００１０】
また、本発明は、上記発明において、前記釣銭機は、前記収納カセットから繰り出した紙幣を、釣銭として利用する紙幣を収納する収納部に収納することを特徴とする。
【００１１】
また、本発明は、上記発明において、前記収納カセットは、データを読み書き可能な記憶媒体を有し、前記釣銭機は、前記記憶媒体のデータを読み書きするリーダライタを有し、前記現金自動預払機は、前記記憶媒体のデータを読み書きするリーダライタを有し、前記釣銭機及び前記現金自動預払機は、前記収納カセットに紙幣を収納した際には、収納した紙幣に係るデータを前記記憶媒体に書き込み、前記収納カセットが装着された際には、前記記憶媒体から前記データを読み取ることを特徴とする。
【００１２】
また、本発明は、上記発明において、店舗の売上金を構成する紙幣を前記収納カセットに収納する処理が前記釣銭機で実行されると、前記釣銭機は、前記売上金に係るデータを前記記憶媒体に書き込み、前記釣銭機から取り外した前記収納カセットが装着された前記現金自動預払機は、前記記憶媒体から前記売上金に係るデータを読み取って、前記収納カセットから紙幣を繰り出して機内に収納する処理、及び収納した紙幣の金額を前記店舗の口座に売上金として入金する処理を自動実行することを特徴とする。
【００１３】
また、本発明は、上記発明において、前記釣銭機に補充する釣銭準備金を構成する紙幣を、前記収納カセットに収納する処理が前記現金自動預払機で実行されると、前記現金自動預払機は、前記収納カセットに収納された紙幣の金額を前記店舗の口座から出金する処理を実行すると共に、前記釣銭準備金に係るデータを前記記憶媒体に書き込み、前記現金自動預払機から取り外した前記収納カセットが装着された前記釣銭機は、前記記憶媒体から前記釣銭準備金に係るデータを読み取って、前記収納カセットから紙幣を繰り出して機内に収納する処理を自動実行することを特徴とする。
【発明の効果】
【００１４】
本発明によれば、釣銭機の機内で収納カセットに紙幣を収納した後、釣銭機から収納カセットを取り外してＡＴＭ（現金自動預払機）に装着し、ＡＴＭの機内で収納カセットから紙幣を繰り出してＡＴＭに入金することができる。これにより、店舗の売上金を釣銭機から取り出してＡＴＭへ入金する作業を安全に行うことができる。
【図面の簡単な説明】
【００１５】
【図１】図１は、貨幣処理システムによる処理内容を説明するための模式図である。
【図２】図２は、貨幣処理システムの機能構成を説明するためのブロック図である。
【図３】図３は、釣銭機及びＰＯＳレジスタの外観を示す斜視図である。
【図４】図４は、釣銭機の紙幣処理ユニットを側方から見た内部構成を示す断面模式図である。
【図５】図５は、ＡＴＭの外観を示す斜視図である。
【図６】図６は、ＡＴＭの紙幣処理ユニットを側方から見た内部構成を示す断面模式図である。
【図７】図７は、背面側から見た収納カセットの外観を示す斜視図である。
【図８】図８は、ＰＯＳサーバから本店サーバへ売上金データを送信する貨幣処理システムの例を示す模式図である。
【図９】図９は、従来のＡＴＭに加えて、収納カセットを脱着可能なＡＴＭを利用する貨幣処理システムの例を示す模式図である。
【発明を実施するための形態】
【００１６】
以下に、添付図面を参照して、本発明に係る貨幣処理システムについて詳細を説明する。図１は、貨幣処理システムによる処理内容を説明するための模式図である。図１では、紙幣現物の動きを実線矢印で示し、データの動きを破線矢印で示している。
【００１７】
貨幣処理システムは、店舗１０に設置された釣銭機１００及び現金自動預払機（ＡＴＭ：Ａｕｔｏｍａｔｅｄ  Ｔｅｌｌｅｒ  Ｍａｃｈｉｎｅ）２００を含んで構成される。以下、現金自動預払機を「ＡＴＭ」と記載する。
【００１８】
ＡＴＭ２００は、銀行等の金融機関に設置された金融機関サーバ４０と通信可能に接続されている。顧客が利用するＡＴＭ２００の機能及び動作は従来知られているため詳細は省略するが、店舗１０に来店した顧客は、ＡＴＭ２００に設けられた挿入口にキャッシュカード又は通帳を挿入し、銀行口座等の金融機関の口座への現金の入金（預け入れ）、口座からの現金の出金（引き出し）を行うことができる。
【００１９】
ＡＴＭ２００は、管理センターに設置された管理センターサーバ２０と通信可能に接続されている。ここで、管理センターとは、店舗１０の売上金、釣銭準備金等を管理する拠点である。管理センターサーバ２０は、店舗１０の釣銭機１００及びＡＴＭ２００と通信可能に接続されている。管理センターサーバ２０は、釣銭機１００及びＡＴＭ２００に収納中の現金の種類及び枚数（金額）を管理している。
【００２０】
また、管理センターサーバ２０は、警送会社に設置された警送会社サーバ３０、金融機関に設置された金融機関サーバ４０、及び店舗１０を統括する本店に設置された本店サーバ５０とも通信可能に接続されている。管理センターサーバ２０、警送会社サーバ３０、金融機関サーバ４０及び本店サーバ５０は、いずれも制御部、操作部、表示部及び記憶部を備えるコンピュータ装置によって構成される。
【００２１】
釣銭機１００は、紙幣の入金処理及び出金処理と、硬貨の入金処理及び出金処理とを実行可能な装置である。入金処理及び出金処理に係る釣銭機１００の機能及び動作は従来知られているため詳細は省略する。釣銭機１００は、ＰＯＳシステム（Ｐｏｉｎｔ  ｏｆ  Ｓａｌｅｓ  Ｓｙｓｔｅｍ）１９５を構成するＰＯＳレジスタ１９０と接続されている。ＰＯＳシステム１９５は、ＰＯＳサーバ１９３と、ＰＯＳサーバ１９３と通信可能に接続されたＰＯＳレジスタ１９０とによって構成される。店舗１０の商品の数量、商品価格、売上金額等は、ＰＯＳシステム１９５によって管理されている。ＰＯＳサーバ１９３は、ＰＯＳレジスタ１９０内に収納中の現金の金種及び枚数（金額）と、釣銭機１００に収納中の現金の金種及び枚数（金額）とを管理している。
【００２２】
釣銭機１００及びＰＯＳレジスタ１９０は、顧客との取引時に精算が行われるレジカウンターに設置されている。レジカウンターを担当する店員は、ＰＯＳレジスタ１９０を操作して、顧客が購入する商品の代金を算出する。店員は、代金支払いのために顧客から受け取った紙幣及び硬貨を釣銭機１００へ入金する。釣銭機１００は、顧客から受け取った紙幣及び硬貨の金種や真偽を識別して合計金額を算出し、紙幣及び硬貨を機内の収納繰出部１３４、１３６、１３８（図２参照）に収納する入金処理を実行する。釣銭機１００は、入金された金額と、ＰＯＳレジスタ１９０から取得した商品代金とを比較して、入金額が商品代金を超える場合には釣銭金額を算出する。そして、釣銭を構成する紙幣及び硬貨を、機内の収納繰出部１３４、１３６、１３８から繰り出して機外へ排出する出金処理を実行する。店員は、釣銭機１００から出金された釣銭を顧客に返す。また、店員は、ＰＯＳレジスタ１９０が出力する、商品名、商品代金等が印字されたレシートを顧客に渡して取引を終了する。こうして釣銭機１００内には、店舗１０の売上金が収納される。
【００２３】
釣銭機１００は、ＩＣタグ３０４を有する収納カセット３００を脱着可能に構成されている。釣銭機１００は、装着された収納カセット３００のＩＣタグ３０４に対してデータの書き込み及び読み取りを行う機能を有する。ＡＴＭ２００は、釣銭機１００から取り外した収納カセット３００を脱着可能に構成されている。ＡＴＭ２００は、装着された収納カセット３００のＩＣタグ３０４に対してデータの書き込み及び読み取りを行う機能を有する。
【００２４】
釣銭機１００及びＡＴＭ２００は、装着された収納カセット３００に紙幣を収納して、収納した紙幣の種類、金額、処理方法等のデータをＩＣタグ３０４に書き込む機能を有する。また、釣銭機１００及びＡＴＭ２００は、収納カセット３００が装着されると、ＩＣタグ３０４に記録されたデータを読み取って、読み取ったデータに基づいて、収納カセット３００に収納されている紙幣の処理を実行する機能を有する。貨幣処理システムは、これらの機能を利用して、店舗１０の売上金や余剰金を釣銭機１００から出金してＡＴＭ２００へ入金する処理や、釣銭機１００で利用する釣銭準備金をＡＴＭ２００から出金して釣銭機１００へ入金する処理を実行する。
【００２５】
釣銭準備金とは、店舗１０での取引時に釣銭として使用するために予め準備した現金を言う。釣銭準備金はＡＴＭ２００の機内に収納されており、釣銭機１００で釣銭として使用する現金が不足すると、ＡＴＭ２００から出金した現金を釣銭機１００に補充する。また、売上金とは、店舗１０で行われた取引で得られた現金で、釣銭機１００の機内に収納されている。余剰金とは、予め設定された金額を超えた店舗１０内の現金で、これも釣銭機１００の機内に収納されている。釣銭機１００の機内では、売上金及び余剰金を収納カセット３００に収納することができる。余剰金の処理は売上金と同様に行われる。このため、本実施形態では、釣銭機１００の機内で収納カセット３００に紙幣を収納する処理については、売上金を例に説明する。
【００２６】
店舗１０の店員が、ＰＯＳレジスタ１９０又は釣銭機１００で所定操作を行うと、釣銭機１００は、機内で紙幣を収納する収納繰出部１３４、１３６、１３８から、売上金を構成する紙幣を繰り出して、釣銭機１００に装着された収納カセット３００に収納する。釣銭機１００は、収納カセット３００に収納した売上金の金額、収納カセット３００に収納した紙幣が売上金であることを示す情報、ＡＴＭ２００で売上金の入金処理を実行するよう指示する情報等を含む売上金データを、収納カセット３００のＩＣタグ３０４に書き込む。
【００２７】
店員は、図１に実線矢印で示したように、売上金紙幣が収納された収納カセット３００を釣銭機１００の前面から取り外して、ＡＴＭ２００の前面からＡＴＭ２００に装着する（Ａ１）。収納カセット３００が装着されると、ＡＴＭ２００は、収納カセット３００のＩＣタグ３０４から、釣銭機１００で書き込まれた売上金データを読み取る（Ｂ１）。このように、貨幣処理システムでは、ＰＯＳシステム１９５及び釣銭機１００で管理されていた売上金の金額等のデータを、収納カセット３００のＩＣタグ３０４を利用してＡＴＭ２００に入力することができる。
【００２８】
売上金データに基づいて、収納カセット３００に売上金紙幣が収納されていること、及び売上金の入金処理が指示されたことを認識したＡＴＭ２００は、自動的に売上金の入金処理を開始する。ＡＴＭ２００は、収納カセット３００に収納されている紙幣を繰り出し、識別計数して機内の回収カセット２４０に収納する入金処理を実行する。ここで、回収カセット２４０とは、ＡＴＭ２００から回収する紙幣を収納するために、ＡＴＭ２００に脱着可能に設けられた紙幣収納部である。
【００２９】
ＡＴＭ２００は、収納カセット３００から繰り出されＡＴＭ２００に入金された紙幣の合計金額が、先にＩＣタグ３０４から読み取った売上金の金額と一致することを確認する。一致しない場合には、ＡＴＭ２００でエラー報知等の処理が行われることになる。一致することを確認したＡＴＭ２００は、売上金の入金日時、入金金額等を含む回収金データをＩＣタグ３０４に書き込む。
【００３０】
収納カセット３００に収納されていた紙幣が全て繰り出されて空になると、店員は、ＡＴＭ２００の前面から収納カセット３００を取り外して、再び釣銭機１００の前面から釣銭機１００に装着する。収納カセット３００が装着されると、釣銭機１００は、ＩＣタグ３０４の回収金データを読み取る（Ｂ２）。釣銭機１００は、回収金データに含まれる情報を機内の記憶部１０３（図２参照）に記録すると共に、ＰＯＳレジスタ１９０を介してＰＯＳサーバ１９３へ送信する。このように、貨幣処理システムでは、ＡＴＭ２００で行われた売上金の入金処理に係るデータを、収納カセット３００のＩＣタグ３０４を利用して釣銭機１００及びＰＯＳシステム１９５に入力することができる。
【００３１】
ＡＴＭ２００は、ＡＴＭ２００で従来同様に行われた入金処理及び出金処理の内容を示すＡＴＭデータ、ＡＴＭ２００へ入金された売上金紙幣の合計金額等を含む売上金データを、管理センターサーバ２０に送信する（Ｂ３）。管理センターサーバ２０は、売上金データ及びＡＴＭデータに基づいて、ＡＴＭ２００に収納中の現金の金種及び枚数（金額）を管理する。管理センターサーバ２０は、ＡＴＭ２００に収納中の現金の金種及び枚数を、予め設定された条件と比較して、ＡＴＭ２００から現金を回収する必要があるか否か、及びＡＴＭ２００に現金を補充する必要があるか否かを判定する。
【００３２】
ＡＴＭ２００から現金を回収する必要があると判定した場合、管理センターサーバ２０は、警送会社に現金回収を指示する回収指示データを、警送会社サーバ３０に送信する（Ｂ４）。警送会社サーバ３０に回収指示データを受信すると、警送会社の担当者は、空の回収カセット２４０を持って、警送車両３１で店舗１０に向かう。そして、売上金紙幣等、回収する現金が収納された回収カセット２４０をＡＴＭ２００から取り外して回収する（Ａ２）。このとき、ＡＴＭ２００には、回収した回収カセット２４０に代えて、空の回収カセット２４０が装着される。
【００３３】
ＡＴＭ２００へ現金を補充する必要があると判定した場合、管理センターサーバ２０は、警送会社に店舗１０へのＡＴＭ準備金の配送を指示する配送指示データを、警送会社サーバ３０に送信する（Ｂ４）。
【００３４】
管理センターサーバ２０は、釣銭機１００と通信可能に接続されており、釣銭機１００に収納中の現金の在高も管理している。管理センターサーバ２０は、釣銭機１００に収納中の現金の金種及び枚数と、ＡＴＭ２００に収納中の現金の金種及び枚数とを、予め設定された条件と比較して、店舗１０へ釣銭準備金を配送する必要があるか否かを判定する。具体的には、ある金種について、釣銭機１００に収納中の紙幣が不足しても、ＡＴＭ２００の機内に十分な量の紙幣が収納されていれば、ＡＴＭ２００は、店舗１０への配送は不要であると判定する。一方、釣銭機１００に収納中の紙幣量とＡＴＭ２００に収納中の紙幣量との合計が所定量を下回ると、ＡＴＭ２００は、店舗１０への配送が必要であると判定する。釣銭準備金の配送が必要であると判定した場合も、管理センターサーバ２０は、警送会社サーバ３０へ釣銭準備金の配送を指示する配送指示データを送信する（Ｂ４）。
【００３５】
警送会社サーバ３０に配送指示データを受信すると、警送会社の担当者は、ＡＴＭ準備金及び釣銭準備金を持って、警送車両３１で店舗１０に向かう。そして、ＡＴＭ準備金及び釣銭準備金をＡＴＭ２００へ入金して補充する（Ａ３）。なお、ＡＴＭ準備金のみが必要である場合はＡＴＭ準備金のみが店舗１０に配送され、釣銭準備金のみが必要である場合は釣銭準備金のみが店舗１０に配送される。
【００３６】
ＡＴＭ２００へ入金された釣銭準備金を釣銭機１００へ補充する処理は、店員が、ＡＴＭ２００から紙幣を出金して釣銭機１００へ入金することによって行われる。具体的には、釣銭機１００に紙幣を補充する必要が生じた際、店員がＰＯＳレジスタ１９０又は釣銭機１００で所定操作を行うと、釣銭機１００は、予め各金種の紙幣について設定された設定量と、現在収納中の各金種の紙幣の収納量とを比較する。そして、設定量に対して不足している紙幣の金種及び枚数、ＡＴＭ２００で釣銭準備金の出金処理を実行するよう指示する情報等を含む釣銭準備金データを、収納カセット３００のＩＣタグ３０４に書き込む。すなわち、ＩＣタグ３０４には、釣銭機１００に補充すべき紙幣の金種及び枚数と、この補充紙幣の出金をＡＴＭ２００に指示する情報がＩＣタグ３０４に書き込まれる。
【００３７】
店員が、収納カセット３００を釣銭機１００から取り外して、ＡＴＭ２００に装着すると、ＡＴＭ２００は、ＩＣタグ３０４の釣銭準備金データを読み取る。そして、釣銭準備金データに基づいて、収納カセット３００に収納すべき釣銭準備金の紙幣の金種及び枚数と、釣銭準備金の出金指示とを認識したＡＴＭ２００は、自動的に釣銭準備金の出金処理を開始する。ＡＴＭ２００は、機内で紙幣を収納している収納繰出部２３４、２３６（図２参照）から紙幣を繰り出し、釣銭機１００で不足している金種及び枚数の紙幣を収納カセット３００に収納する。このとき、釣銭準備金としてＡＴＭ２００から出金された紙幣の金額等の情報は、ＡＴＭデータとして管理センターサーバ２０へ送信される。また、ＡＴＭ２００は、釣銭準備金の出金日時、出金金額、釣銭準備金の収納を指示する情報等を含むデータをＩＣタグ３０４に書き込む。
【００３８】
収納カセット３００に釣銭準備金が収納されると、店員は、収納カセット３００をＡＴＭ２００から取り外して再び釣銭機１００に装着する（Ａ４）。釣銭機１００は、ＩＣタグ３０４のデータを読み取り、収納カセット３００内に釣銭準備金が収納されていること、釣銭準備金を機内の収納繰出部１３４、１３６、１３８に収納する必要があること等を認識して、自動的に処理を開始する。釣銭機１００は、収納カセット３００に収納されている紙幣を繰り出して、対応する収納繰出部１３４、１３６、１３８に収納する。また、釣銭機１００は、ＩＣタグ３０４から読み取った釣銭準備金の出金日時、出金金額等のデータを機内の記憶部１０３に記録すると共に、ＰＯＳレジスタ１９０を介してＰＯＳサーバ１９３へ送信する。
【００３９】
管理センターサーバ２０は、ＡＴＭ２００から受信した売上金データに基づいて、ＡＴＭ２００へ入金された店舗１０の売上金金額を認識する。管理センターサーバ２０は、店舗１０の売上金を管理する金融機関の口座番号と、ＡＴＭ２００に入金された売上金の金額とを含む口座更新データを、金融機関サーバ４０に送信する（Ｂ５）。金融機関サーバ４０は、口座更新データに基づいて、店舗の口座に売上金を入金して口座を更新する処理を実行する。
【００４０】
また、管理センターサーバ２０は、ＡＴＭ２００に入金された売上金の金額を含む売上金データを本店サーバ５０に送信する（Ｂ６）。本店サーバ５０は、管理センターサーバ２０から受信した売上金データに基づいて店舗１０の売上を管理する。
【００４１】
釣銭準備金に係る口座更新処理も同様に行われる。具体的には、管理センターサーバ２０は、ＡＴＭ２００から受信した、釣銭準備金に係るＡＴＭデータに基づいて、ＡＴＭ２００から出金された釣銭準備金の金額を認識する。管理センターサーバ２０は、店舗１０の釣銭準備金を管理する金融機関の口座番号と、ＡＴＭ２００から出金された釣銭準備金の金額とを含む口座更新データを、金融機関サーバ４０に送信する（Ｂ５）。金融機関サーバ４０は、口座更新データに基づいて、店舗の口座から釣銭準備金を出金して口座を更新する処理を実行する。
【００４２】
このように、貨幣処理システムでは、釣銭機１００に収納カセット３００を装着して、機内で売上金を収納カセット３００に収納することができる。売上金が収納された収納カセット３００を釣銭機１００から取り外して、そのままＡＴＭ２００に装着し、ＡＴＭ２００へ入金することができる。釣銭機１００やＰＯＳレジスタ１９０から紙幣を取り出し、取り出した紙幣を手に持ってＡＴＭ２００へ入金する作業が不要であるため、ＡＴＭ２００への入金を安全に行うことができる。
【００４３】
同様に、貨幣処理システムでは、ＡＴＭ２００に収納カセット３００を装着して、機内で釣銭準備金を収納カセット３００に収納することができる。釣銭準備金が収納された収納カセット３００をＡＴＭ２００から取り外して、そのまま釣銭機１００に装着して、釣銭機１００に補充することができる。ＡＴＭ２００で紙幣を出金し、出金した紙幣を手に持って釣銭機１００へ補充する作業が不要であるため、釣銭機１００への紙幣の補充を安全に行うことができる。
【００４４】
また、従来同様に顧客がキャッシュカード等を利用してＡＴＭ２００で行う入金処理及び出金処理に係るデータは、ＡＴＭ２００から金融機関サーバ４０へ送信される一方、収納カセット３００を利用して行われる入金処理及び出金処理に係るデータは、ＡＴＭ２００から管理センターサーバ２０へ送信される。これにより、管理センターサーバ２０で、店舗１０内の紙幣現物の金種及び枚数（金額）と、店舗１０の口座とを管理することができる。
【００４５】
図２は、貨幣処理システムの機能構成を説明するためのブロック図である。図２には、図１に示す貨幣処理システムの説明に必要な構成部を示している。釣銭機１００及びＡＴＭ２００の機内で紙幣を搬送する搬送部等の構成は後述する。
【００４６】
図２に示すように、店舗１０内に設置された釣銭機１００、ＡＴＭ２００及びＰＯＳサーバ１９３と、管理センターサーバ２０、警送会社サーバ３０、金融機関サーバ４０及び本店サーバ５０は、ネットワーク６０を介して接続されている。ネットワーク６０は、インターネット回線を利用する態様であってもよいし、専用回線を利用する態様であっても構わない。なお、各装置及び各サーバは、各装置及び各サーバの機能及び動作に応じて、通信対象とする装置及びサーバと通信可能に接続されている。例えば、釣銭機１００は管理センターサーバ２０と通信を行うが、警送会社サーバ３０、金融機関サーバ４０及び本店サーバ５０とは通信を行わない。
【００４７】
ＡＴＭ２００は、紙幣を入出金する紙幣処理ユニット２１０と、硬貨を入出金する硬貨処理ユニット２５０と、包装硬貨を収納する包装硬貨処理ユニット２８０とを有する。また、ＡＴＭ２００は、外部装置と通信するための通信部２０２と、記憶部２０３と、タッチパネル式の液晶表示装置から成る操作表示部２０４と、各部を制御する制御部２０１とを有する。ここで包装硬貨とは、同一金種の硬貨を所定枚数（例えば２０枚や５０枚）だけ棒状にまとめてフィルムや包装紙等により包装したものを言う。包装硬貨処理ユニット２８０は、警送会社が、ＡＴＭ準備金又は釣銭準備金として店舗１０に配送した包装硬貨を収納するために利用される。操作表示部２０４で所定の操作を行って包装硬貨処理ユニット２８０から包装硬貨を取り出し、ＡＴＭ２００や釣銭機１００へ補充することができる。
【００４８】
ＡＴＭ２００の紙幣処理ユニット２１０は、ＩＣタグ３０４を有する収納カセット３００を着脱自在に装着するカセット装着部２２６と、ＩＣタグ３０４のデータを読み書きするＩＣタグリーダライタ２２８と、入金時には紙幣を収納して出金時には紙幣を繰り出す複数の収納繰出部２３４、２３６と、回収する紙幣を収納する回収カセット２４０とを有する。
【００４９】
釣銭機１００は、紙幣を入出金する紙幣処理ユニット１１０と、硬貨を入出金する硬貨処理ユニット１５０と、包装硬貨を収納する包装硬貨処理ユニット１８０とを有する。また、釣銭機１００は、外部装置と通信するための通信部１０２と、記憶部１０３と、操作表示部１０４と、各部を制御する制御部１０１とを有する。包装硬貨処理ユニット１８０は、釣銭として利用する包装硬貨を収納するために利用される。操作表示部１０４で所定の操作を行って包装硬貨処理ユニット１８０から包装硬貨を取り出し、釣銭機１００へ補充することができる。
【００５０】
釣銭機１００の紙幣処理ユニット１１０は、ＩＣタグ３０４を有する収納カセット３００を着脱自在に装着するカセット装着部１２６と、ＩＣタグ３０４のデータを読み書きするＩＣタグリーダライタ１２８と、入金時には紙幣を収納して出金時には紙幣を繰り出す複数の収納繰出部１３４、１３６、１３８とを有する。
【００５１】
次に、図３及び図４を参照しながら釣銭機１００の構成について説明する。図３は、釣銭機１００及びＰＯＳレジスタ１９０の外観を示す斜視図である。図４は、釣銭機１００の紙幣処理ユニット１１０を側方から見た内部構成を示す断面模式図である。図４の右側が紙幣処理ユニット１１０の前面で、左側が紙幣処理ユニット１１０の背面である。
【００５２】
図３及び図４に示すように、紙幣処理ユニット１１０は、略直方体形状の筐体１１２と、筐体１１２の前面側に設けられた紙幣受入部１２０と、筐体１１２の前面側において紙幣受入部１２０の下方に設けられた紙幣払出部１２２と、筐体１１２の内部で紙幣を１枚ずつ搬送する搬送部１３０と、筐体１１２の内部で紙幣を収納すると共に収納された紙幣を繰出可能な複数の収納繰出部１３４、１３６、１３８とを有する。
【００５３】
図４に示すように、搬送部１３０は、筐体１１２の中央位置に配置された周回搬送部１３０ａ及び複数の接続搬送部１３０ｂから構成される。紙幣受入部１２０、紙幣払出部１２２、出金リジェクト部１２４、収納カセット３００を着脱自在に装着可能なカセット装着部１２６、及び３つの収納繰出部１３４、１３６、１３８が、周回搬送部１３０ａを取り囲むよう配置され、それぞれが接続搬送部１３０ｂによって周回搬送部１３０ａと接続されている。周回搬送部１３０ａには、識別部１３２が設けられている。識別部１３２は、周回搬送部１３０ａが搬送する紙幣の金種、真偽、正損等を識別する。
【００５４】
周回搬送部１３０ａは、時計回りに紙幣を搬送することもできるし、反時計回りに紙幣を搬送することもできる。周回搬送部１３０ａと各接続搬送部１３０ｂとの間で紙幣の搬送経路を切り換える経路切換部（図示せず）が、周回搬送部１３０ａに沿って配置されている。
【００５５】
筐体１１２の前面には、紙幣受入部１２０に紙幣を受ける紙幣受入口１２０ａと、紙幣払出部１２２から紙幣を排出する紙幣排出口１２２ａが設けられている。筐体１１２の前面には、カセット装着部１２６に対して収納カセット３００を脱着するための扉１２６ａが設けられている。扉１２６ａを開いて筐体１１２内へ挿入した収納カセット３００をカセット装着部１２６に装着する。図４には示していないが、筐体１１２内には、カセット装着部１２６に装着された収納カセット３００のＩＣタグ３０４のデータを読み書きするＩＣタグリーダライタ１２８が設けられる。
【００５６】
カセット装着部１２６に装着した収納カセット３００は、電磁ロックによりロックされる。収納カセット３００の取扱権限を有する店員が、操作表示部１０４又はＰＯＳレジスタ１９０を操作して認証処理を実行しなければ、電磁ロックを解除して収納カセット３００を釣銭機１００から取り出すことはできない。具体的には、操作表示部１０４又はＰＯＳレジスタ１９０で収納カセット３００の取り外しを指示する所定操作を行い、ＩＤ及びパスワードを入力して認証されなければ、電磁ロックを解除できないようになっている。店員が認証されて、収納カセット３００の取扱権限を有することが確認されると、電磁ロックが解除される。電磁ロックが解除されると、カセット装着部１２６から離れた収納カセット３００の前面側一部が装置前面側に飛び出し、扉１２６ａを開いて、収納カセット３００を掴んで抜き取れるようになっている。
【００５７】
釣銭機１００からＡＴＭ２００へ入金する売上金等の紙幣は、釣銭機１００に装着された収納カセット３００に収納される。具体的には、操作表示部１０４又はＰＯＳレジスタ１９０で売上金入金を指示する所定操作が行われると、制御部１０１は、収納繰出部１３４、１３６、１３８及び搬送部１３０を制御して、売上金を構成する紙幣を収納繰出部１３４、１３６、１３８から１枚ずつ繰り出す。繰り出された紙幣は、接続搬送部１３０ｂを経て、周回搬送部１３０ａによって搬送される。そして、識別部１３２によって識別された各紙幣は、周回搬送部１３０ａから接続搬送部１３０ｂを経て収納カセット３００に収納される。また、売上金入金を指示する操作が行われると、制御部１０１は、ＩＣタグリーダライタ１２８を制御して、収納カセット３００のＩＣタグ３０４に売上金データを書き込む。売上金紙幣が収納カセット３００に収納された後、操作表示部１０４で所定操作を行って電磁ロックを解除すれば、筐体１１２前面の扉１２６ａを開いて、売上金紙幣を収納カセット３００に収納された状態のまま取り出すことができる。
【００５８】
釣銭準備金を釣銭機１００に補充する場合は、操作表示部１０４又はＰＯＳレジスタ１９０で釣銭準備金補充を指示する所定操作が行われると、制御部１０１は、記憶部１０３に保存されているデータを参照する。そして、釣銭機１００内に釣銭として収納しておくべき紙幣として予め設定されている各金種の紙幣枚数と、収納繰出部１３４、１３６、１３８に収納中の各金種の紙幣枚数とを比較して、不足している紙幣の金種及び枚数を認識する。制御部１０１は、ＩＣタグリーダライタ１２８を制御して、これらの情報を含む釣銭準備金データを収納カセット３００のＩＣタグ３０４に書き込む。釣銭機１００から収納カセット３００が取り外された後、ＡＴＭ２００で釣銭準備金を収納した収納カセット３００が再び釣銭機１００に装着されると、制御部１０１は、ＩＣタグリーダライタ１２８を制御してＩＣタグ３０４の情報を読み取る。制御部１０１は、ＩＣタグ３０４の情報から、収納カセット３００に釣銭準備金が収納されており、釣銭準備金を釣銭機１００の収納繰出部１３４、１３６、１３８に移動する必要があることを認識し、収納カセット３００から紙幣を繰り出す処理を開始する。収納カセット３００から１枚ずつ繰り出された紙幣は、接続搬送部１３０ｂを経て、周回搬送部１３０ａによって搬送される。そして、紙幣は、識別部１３２によって識別された後、識別結果に基づいて、対応する収納繰出部２３４、２３６へ収納される。
【００５９】
次に、図５及び図６を参照しながらＡＴＭ２００の構成について説明する。図５は、ＡＴＭ２００の外観を示す斜視図である。図６は、ＡＴＭ２００の紙幣処理ユニット２１０を側方から見た内部構成を示す断面模式図である。図６の右側が紙幣処理ユニット２１０の前面で、左側が紙幣処理ユニット２１０の背面である。
【００６０】
図５に示すように、ＡＴＭ２００は略直方体形状の筐体２１２を有する。筐体２１２上面には、操作表示部２０４、キャッシュカード挿入口２０５及び通帳挿入口２０６が設けられている。顧客は、操作表示部２０４を操作して、キャッシュカード挿入口２０５へのキャッシュカードの挿入、又は通帳挿入口２０６への通帳の挿入を行って、従来通り、自身の口座からの出金、口座への入金等、従来ＡＴＭと同様に各種の処理を実行することができる。顧客が、収納カセット３００を利用せずに行う入金処理及び出金処理は、従来同様ＡＴＭ２００と金融機関サーバ４０との間でデータを送受信しながら行われる。
【００６１】
ＡＴＭ２００の筐体２１２内部には、紙幣の入金処理及び出金処理を行う紙幣処理ユニット２１０、硬貨の入金処理及び出金処理を行う硬貨処理ユニット２５０、及び包装硬貨を収納する包装硬貨処理ユニット２８０が設けられている。紙幣処理ユニット２１０及び硬貨処理ユニット２５０は、ＡＴＭ２００を手前側から見て左右に並ぶよう配置されており、これら紙幣処理ユニット２１０及び硬貨処理ユニット２５０の下方に包装硬貨処理ユニット２８０が配置されている。
【００６２】
図６に示すように、紙幣処理ユニット２１０は、筐体２１２前面に設けられた紙幣受入部２２０と、筐体２１２前面側において紙幣受入部２２０の下方に設けられた紙幣払出部２２２と、筐体２１２の内部で紙幣を１枚ずつ搬送する搬送部２３０と、筐体２１２の内部で紙幣を収納すると共に、収納されている紙幣を繰出可能な複数の収納繰出部２３４、２３６とを備えている。
【００６３】
搬送部２３０は、筐体２１２上部の中央位置に配置された周回搬送部２３０ａ及び複数の接続搬送部２３０ｂから構成される。紙幣受入部２２０、紙幣払出部２２２、出金リジェクト部２２４、後述する収納カセット３００を着脱自在に装着可能なカセット装着部２２６、回収カセット２４０及び２つの収納繰出部２３４、２３６が、周回搬送部２３０ａを取り囲むよう配置され、それぞれが接続搬送部２３０ｂによって周回搬送部２３０ａと接続されている。周回搬送部２３０ａには、識別部２３２が設けられている。識別部２３２は、周回搬送部２３０ａが搬送する紙幣の金種、真偽、正損等を識別する。
【００６４】
周回搬送部２３０ａは、時計回りに紙幣を搬送することもできるし、反時計回りに紙幣を搬送することもできる。周回搬送部２３０ａと各接続搬送部２３０ｂとの間で紙幣の搬送経路を切り換える経路切換部（図示せず）が、周回搬送部２３０ａに沿って配置されている。
【００６５】
筐体２１２の前面には、紙幣受入部２２０に紙幣を受ける紙幣受入口（入金口）２２０ａと、紙幣払出部２２２から紙幣を排出する紙幣排出口（出金口）２２２ａとが設けられている。また、筐体２１２の前面には、カセット装着部２２６に収納カセット３００を装着するための扉２２６ａが設けられている。扉２２６ａを開いて、収納カセット３００を筐体２１２内へ挿入して、カセット装着部２２６に装着したり、カセット装着部２２６に装着した収納カセット３００を取り出したりすることができる。図６には示していないが、筐体２１２内には、カセット装着部２２６に装着された収納カセット３００のＩＣタグ３０４のデータを読み書きするＩＣタグリーダライタ２２８が設けられる。
【００６６】
警送会社が回収する売上金等の紙幣は回収カセット２４０に収納される。具体的には、売上金紙幣を収納した収納カセット３００をカセット装着部２２６に装着すると、制御部２０１は、ＩＣタグリーダライタ２２８を制御して収納カセット３００のＩＣタグ３０４から売上金データを読み取る。制御部２０１は、収納カセット３００に売上金が収納されており、この売上金をＡＴＭ２００に入金する必要があることを認識して、収納カセット３００から紙幣を繰り出す処理を開始する。収納カセット３００から１枚ずつ繰り出された紙幣は、接続搬送部２３０ｂを経て、周回搬送部２３０ａによって搬送される。そして、識別部２３２によって識別された各紙幣は、周回搬送部２３０ａから接続搬送部２３０ｂを経て回収カセット２４０に収納される。図５に示すように、筐体２１２の前面右側には扉２４０ａが設けられている。警送会社の担当者は、この扉２４０ａを開いて、回収カセット２４０を取り外し、売上金紙幣を回収カセット２４０に収納された状態のまま回収することができる。
【００６７】
同様に、釣銭準備金を収納するために、空の収納カセット３００が装着された場合も、制御部２０１が、ＩＣタグリーダライタ２２８を制御してＩＣタグ３０４から釣銭準備金データを読み取る。制御部２０１は、釣銭機１００で不足している紙幣の金種及び枚数と、この紙幣を釣銭準備金として出金する必要があることを認識して、収納繰出部２３４、２３６から、釣銭準備金を構成する紙幣を繰り出す処理を開始する。収納繰出部２３４、２３６から１枚ずつ繰り出された紙幣は、接続搬送部２３０ｂを経て、周回搬送部２３０ａによって搬送される。そして、識別部２３２によって識別された各紙幣は、周回搬送部２３０ａから接続搬送部２３０ｂを経て収納カセット３００に収納される。店員が、釣銭準備金が収納された収納カセット３００をＡＴＭ２００から取り外して釣銭機１００へ装着すると、釣銭機１００で、収納カセット３００から紙幣を繰り出して補充する処理が行われることになる。
【００６８】
次に、収納カセット３００の構成について説明する。図７は、背面側から見た収納カセット３００の外観を示す斜視図である。図７に示すように、収納カセット３００は、略直方体形状のケーシング３０１を有し、ケーシング３０１の内部に積層状態で紙幣を収納する。収納カセット３００は、釣銭機１００のカセット装着部１２６に脱着可能、かつ、ＡＴＭ２００のカセット装着部２２６に脱着可能に構成されている。
【００６９】
ケーシング３０１の背面には開口３０２が設けられている。収納カセット３００を釣銭機１００のカセット装着部１２６に装着すれば、釣銭機１００内の搬送部１３０が搬送する紙幣を、開口３０２から収納カセット３００内に取り込んで収納することができる。また、収納カセット３００に収納されている紙幣を、開口３０２から搬送部１３０に繰り出すことができる。同様に、収納カセット３００をＡＴＭ２００のカセット装着部２２６に装着すれば、ＡＴＭ２００の搬送部２３０が搬送する紙幣を、開口３０２から収納カセット３００内に取り込んで収納することができる。また、収納カセット３００に収納されている紙幣を、開口３０２から搬送部２３０に繰り出すことができる。
【００７０】
開口３０２の内部には、紙幣の収納及び繰り出しを行うための収納繰出機構が設けられている。収納カセット３００を、釣銭機１００のカセット装着部１２６に装着すると、釣銭機１００の紙幣処理ユニット１１０側から収納カセット３００の収納繰出機構に動力が伝達されるようになっている。同様に、収納カセット３００を、ＡＴＭ２００のカセット装着部２２６に装着すると、ＡＴＭ２００の紙幣処理ユニット２１０側から収納カセット３００の収納繰出機構に動力が伝達されるようになっている。また、収納カセット３００の開口３０２は、内部に収納された紙幣を手で取り出すことができない構造となっている。収納カセット３００を、釣銭機１００やＡＴＭ２００から取り外した状態で、ケーシング３０１の外部へ紙幣を取り出すことはできず、収納カセット３００に収納されている紙幣のセキュリティを確保できるようになっている。
【００７１】
また、収納カセット３００は電磁ロックによって釣銭機内に固定される。操作表示部１０４又はＰＯＳレジスタ１９０を操作して認証処理を実行し、収納カセット３００の取扱権限を有することが確認できなければ、電磁ロックを解除できない。取扱権限を有する所定の店員のみが、収納カセット３００を釣銭機１００から抜き取れるようにすることで、収納カセット３００に収納されている紙幣のセキュリティを確保できるようになっている。
【００７２】
なお、図１では、管理センターサーバ２０から本店サーバ５０へ売上金データを送信する態様を示したが、本店サーバ５０への売上金データの送信は、ＰＯＳサーバ１９３から行う態様であってもよい。図８は、ＰＯＳサーバ１９３から本店サーバ５０へ売上金データを送信する貨幣処理システムの例を示す模式図である。図８に示す貨幣処理システムは、店舗１０の売上金データが、ＡＴＭ２００及び管理センターサーバ２０を介さずに、ＰＯＳサーバ１９３から本店サーバ５０へ直接送信される点が（Ｂ６）、図１に示す貨幣処理システムと異なっている。図８に示す構成であっても、上述したように、釣銭機１００内の売上金をＡＴＭ２００へ入金して店舗１０の口座を更新することができる。
【００７３】
また、店舗１０で従来利用されているＡＴＭに加えて、収納カセット３００を脱着可能なＡＴＭ２００を設置する態様であってもよい。図９は、従来のＡＴＭ５００に加えて、収納カセット３００を脱着可能なＡＴＭ２００を利用する貨幣処理システムの例を示す模式図である。図９に示す貨幣処理システムは、店舗１０の売上金データがＰＯＳサーバ１９３から本店サーバ５０へ直接送信される点と（Ｂ６）、従来利用されているＡＴＭ５００（以下「従来ＡＴＭ５００」と記載する）と本実施形態に係るＡＴＭ２００との間でデータを送受信した後（Ｃ１、Ｃ２）、従来ＡＴＭ５００から金融機関サーバ４０へ口座更新データを送信する点が（Ｂ５）、図１に示す貨幣処理システムと異なっている。
【００７４】
図９に示すＡＴＭ２００は、従来ＡＴＭ５００と通信可能に接続されている。従来ＡＴＭ５００では、従来同様に入金処理及び出金処理を行うことができる。これに加えて、入金処理に係る操作及び出金処理に係る操作は、従来ＡＴＭ５００の操作表示部で行って、処理内容を示すＡＴＭ命令データをＡＴＭ２００に送信し（Ｃ１）、ＡＴＭ２００で、紙幣現物の入金及び出金を行うことも可能となっている。これにより、従来ＡＴＭ５００の収納部が紙幣で満杯になって入金できない場合や紙幣が不足して出金できない場合も、ＡＴＭ２００で入金処理及び出金処理を行うことができる。
【００７５】
上述したように収納カセット３００を利用して売上金がＡＴＭ２００へ入金された場合、ＡＴＭ２００は、店舗１０の口座番号と、ＡＴＭ２００に入金された売上金の金額とを含むＡＴＭ入金データを、従来ＡＴＭ５００に送信する（Ｃ２）。ＡＴＭ入金データを受信した従来ＡＴＭ５００は、店舗１０の口座番号と、ＡＴＭ２００に入金された金額分を店舗１０の口座に入金するよう指示する情報とを含む口座更新データを、金融機関サーバ４０に送信する（Ｂ５）。すなわち、収納カセット３００を利用してＡＴＭ２００へ売上金を入金する処理を行うと、キャッシュカードや通帳を利用して従来ＡＴＭ５００へ売上金を入金した場合と同様に、店舗１０の口座への入金（預け入れ）を指示する口座更新データが、従来ＡＴＭ５００から金融機関サーバ４０へ送信される。これにより、図１で説明した場合と同様に、収納カセット３００を利用してＡＴＭ２００へ売上金紙幣を入金すると共に、金融機関で店舗１０の口座を更新して、売上金を口座に入金した状態とすることができる。
【００７６】
また、上述したように収納カセット３００を利用して、釣銭機１００へ補充する釣銭準備金がＡＴＭ２００から出金されると、ＡＴＭ２００は、店舗１０の口座番号と、ＡＴＭ２００から出金された釣銭準備金の金額とを含むＡＴＭ出金データを、従来ＡＴＭ５００に送信する（Ｃ２）。ＡＴＭ出金データを受信した従来ＡＴＭ５００は、店舗１０の口座番号と、ＡＴＭ２００から出金された金額分を店舗１０の口座から出金するよう指示する情報とを含む口座更新データを、金融機関サーバ４０に送信する（Ｂ５）。すなわち、収納カセット３００を利用してＡＴＭ２００で釣銭準備金の出金処理を行うと、キャッシュカードや通帳を利用して従来ＡＴＭ５００から釣銭準備金を出金した場合と同様に、店舗１０の口座からの出金（引き落とし）を指示するデータが、従来ＡＴＭ５００から金融機関サーバ４０へ送信される。これにより、図１で説明した場合と同様に、収納カセット３００を利用してＡＴＭ２００から釣銭準備金を出金すると共に、金融機関で店舗１０の口座を更新して、釣銭準備金を口座から出金した状態とすることができる。
【００７７】
本実施形態では、売上金を収納した収納カセット３００をＡＴＭ２００に装着すると、売上金を収納カセット３００から繰り出してＡＴＭ２００へ入金する処理が自動的に開始される態様を説明したが、本実施形態がこれに限定されるものではない。例えば、ＡＴＭ２００へ収納カセット３００が装着されると、ＡＴＭ２００がこれを検知して、店舗専用のメニューを操作表示部１０４に表示し、店員が、操作表示部１０４で売上金入金の操作を行うと、ＡＴＭ２００が入金処理を開始する態様であってもよい。また、図９に示す構成では、メニュー表示及び店員による操作が従来ＡＴＭ５００の操作表示部で行われ、この操作を受けてＡＴＭ２００が入金処理を開始する態様であってもよい。
【００７８】
釣銭準備金を出金する場合についても同様に、ＡＴＭ２００へ収納カセット３００が装着されると、ＡＴＭ２００がこれを検知して、店舗専用のメニューを操作表示部２０４に表示し、店員が、操作表示部２０４で釣銭準備金出金の操作を行うと、ＡＴＭ２００が出金を開始する態様であってもよい。また、図９に示す構成では、メニューの表示及び店員による操作が従来ＡＴＭ５００の操作表示部で行われ、この操作を受けてＡＴＭ２００が出金処理を開始する態様であってもよい。
【００７９】
また、本実施形態では、ＡＴＭ２００が、店舗１０の口座番号を、管理センターサーバ２０又は従来ＡＴＭ５００に送信する態様を示したが、口座番号等の店舗１０の口座情報をＡＴＭ２００で管理する態様に限定するものではない。例えば、釣銭機１００又はＰＯＳシステム１９５で店舗１０の口座情報を管理し、釣銭機１００が、収納カセット３００のＩＣタグ３０４に書き込む売上金データや釣銭準備金データに口座情報を含める態様であってもよい。また、管理センターサーバ２０で店舗１０の口座情報を管理する態様であってもよい。
【００８０】
上述してきたように、本実施形態に係る貨幣処理システムによれば、収納カセット３００を脱着可能に設けた釣銭機１００及びＡＴＭ２００を利用することにより、売上金や余剰金を釣銭機１００から取り出してＡＴＭ２００へ入金する作業を安全に行うことができる。同様に、釣銭準備金をＡＴＭ２００から出金して釣銭機１００へ補充する作業も安全に行うことができる。
【産業上の利用可能性】
【００８１】
以上のように、本発明に係る貨幣処理システムは、店舗内でＡＴＭへの入金を安全に行うために有用である。
【符号の説明】
【００８２】
２０  管理センターサーバ
３０  警送会社サーバ
４０  金融機関サーバ
５０  本店サーバ
６０  ネットワーク
１００  釣銭機
１０１、２０１  制御部
１０２、２０２  通信部
１０３、２０３  記憶部
１０４、２０４  操作表示部
１１０、２１０  紙幣処理ユニット
１２６、２２６  カセット装着部
１２８、２２８  ＩＣタグリーダライタ
１３４、１３６、１３８、２３４、２３６  収納繰出部
１５０、２５０  硬貨処理ユニット
１８０、２８０  包装硬貨処理ユニット
１９０  ＰＯＳレジスタ
１９３  ＰＯＳサーバ
１９５  ＰＯＳシステム
２００  ＡＴＭ（現金自動預払機）
２４０  回収カセット
３００  収納カセット
３０４  ＩＣタグ
【図１】
2018151809.tif 000003
【図２】
2018151809.tif 000004
【図３】
2018151809.tif 000005
【図４】
2018151809.tif 000006
【図５】
2018151809.tif 000007
【図６】
2018151809.tif 000008
【図７】
2018151809.tif 000009
【図８】
2018151809.tif 000010
【図９】
2018151809.tif 000011